(57)【要約】【課題】  多機種の携帯式ガスバーナーに簡易に対応して適切に液化ガスの気化を促進することができると同時に、軽量で運搬も容易な携帯式ガスバーナーの燃料気化装置を提供する。【解決手段】  燃料気化促進装置１０は、携帯式ガスバーナーの燃焼熱及び被加熱対象の熱を受熱して蓄積するヘッド１８と、このヘッド１８に連結されたロッド２０と、このロッド２０に連結されてヘッド１８から伝導された熱により携帯式ガスバーナーの燃料タンクに加温する板状ボディ２８とを備えている。ヘッド１８は、ロッド２０に対して進退自在に取り付けられている。ロッド２０には、ヘッド１８の適切な取付位置を示す目安線２６Ａが形成されている。板状ボディ２８は、アルミニウムを押し出し加工して、薄型に形成されている。【選択図】        図１
2005180732.tif 000002
【特許請求の範囲】
【請求項１】
燃料タンクを備えた携帯式ガスバーナーの燃焼熱及び被加熱対象物に伝導された伝導熱を蓄熱する蓄熱部材と、前記燃料ポンプに着脱自在に取り付けられて前記蓄熱部材に蓄積された熱により前記燃料ポンプ内の燃料を加熱して前記燃料の気化を促進する加温部材と、前記蓄熱部材に蓄積された熱を前記加温部材に伝導する伝熱部材とを備えた携帯式ガスバーナーの燃料気化促進装置において、前記蓄熱部材は、前記伝熱部材に進退自在に取り付けられて位置調整できることを特徴とする携帯式ガスバーナーの気化促進装置。
【請求項２】
請求項１に記載された携帯式ガスバーナーの燃料気化促進装置であって、前記伝熱部材が挿入される開口部を有する円筒形状を有すると共に前記円筒から前記携帯式ガスバーナーの着火部に向けて延びるように形成されて前記携帯式ガスバーナーの燃焼熱及び前記被加熱対象に伝導された伝導熱を受熱する蓄熱部を有するヘッドから成ると共に、前記伝熱部材は前記ヘッドが取り付けられるロッドから成り、前記ヘッドは、前記円筒の側面に前記開口部の拡径を許容する切り欠き部と、前記切り欠き部による拡径を制限するリングとを有し、前記開口部の内径に抗して前記ロッドにより前記開口部が拡径されながら前記ロッドの先端に嵌着されて前記ロッドに進退自在に取り付けられると共に前記リングによる締め付けにより所定の取付位置に固定されることを特徴とする携帯式ガスバーナーの燃料気化促進装置。
【請求項３】
請求項１又は請求項２のいずれかに記載された携帯式ガスバーナーの燃料気化促進装置であって、前記蓄熱部材であるヘッドの切り欠き部は、前記ロッドへの非取付時においては、前記リングにより前記開口部が前記ロッドの外径よりも小径となるように縮径方向に付勢されて、前記開口部に近づくに従い間隔が狭くなるように設定されていることを特徴とする携帯式ガスバーナーの燃料気化促進装置。
【請求項４】
請求項１乃至請求項３のいずれかに記載された携帯式ガスバーナーの燃料気化促進装置であって、前記蓄熱部材であるヘッドのリングは、内径が前記ヘッドの円筒の外径よりも小径に設定されて、前記ヘッドの円筒の外面に形成された溝に嵌着されると共に、一部が開口して拡径が許容されていることを特徴とする携帯式ガスバーナーの燃料気化促進装置。
【請求項５】
請求項１乃至請求項４のいずれかに記載された携帯式ガスバーナーの燃料気化促進装置であって、前記伝熱部材であるロッドは、前記燃料気化促進装置が取り付けられる携帯式ガスバーナー毎に設定された前記蓄熱部材であるヘッドの適切な取付位置を案内する位置ガイドを有することを特徴とする携帯式ガスバーナーの燃料気化促進装置。
【請求項６】
請求項５に記載された携帯式ガスバーナーの燃料気化促進装置であって、前記伝熱部材であるロッドの位置ガイドは、前記ロッドの外周に形成され、前記ヘッドの開口部を符合させる目安となる目安線であることを特徴とする携帯式ガスバーナーの燃料気化促進装置。
【請求項７】
請求項６に記載された携帯式ガスバーナーの燃料気化促進装置であって、前記目安線は前記ヘッドの開口部が係止するくびれから形成されていることを特徴とする携帯式ガスバーナーの燃料気化促進装置。
【請求項８】
請求項１乃至請求項７のいずれかに記載された携帯式ガスバーナーの燃料気化促進装置であって、前記伝熱部材であるロッドは、前記ヘッドが取り付けられる先端に、テーパが形成されていることを特徴とする携帯式ガスバーナーの燃料気化促進装置。
【請求項９】
請求項１乃至請求項８のいずれかに記載された携帯式ガスバーナーの燃料気化促進装置であって、前記伝熱部材であるロッドは、中空に形成され、内部にヒートパイプが挿入されていることを特徴とする携帯式ガスバーナーの燃料気化促進装置。
【請求項１０】
請求項１乃至請求項９のいずれかに記載された携帯式ガスバーナーの燃料気化促進装置であって、前記伝熱部材であるロッドは、前記燃料タンクの外形に符合した形状に形成され、前記燃料タンクの外形に沿って配設されることを特徴とする携帯式ガスバーナーの燃料気化促進装置。
【請求項１１】
請求項１乃至請求項１０のいずれかに記載された携帯式ガスバーナーの燃料気化促進装置であって、前記加温部材は、アルミニウムを押し出し加工して形成されていることを特徴とする携帯式ガスバーナーの燃料気化促進装置。
【請求項１２】
請求項１乃至請求項１１のいずれかに記載された携帯式ガスバーナーの燃料気化促進装置であって、前記加温部材は、前記伝熱部材の取付部を除き、２ｍｍ以下の厚みに形成されていることを特徴とする携帯式ガスバーナーの燃料気化促進装置。
【請求項１３】
請求項１乃至請求項１２のいずれかに記載された携帯式ガスバーナーの燃料気化促進装置であって、前記加温部材は、ネオジウム系磁石により前記燃料タンクに着脱自在に取り付けられることを特徴とする携帯式ガスバーナーの燃料気化促進装置。
【発明の詳細な説明】
【技術分野】
【０００１】
本発明は、例えば、登山やキャンプ等のアウトドア（野外）での活動に際して、調理等に使用される携帯式ガスバーナーの燃料気化促進装置の改良に関するものである。
【背景技術】
【０００２】
主に、登山やキャンプ等のアウトドアでの調理に使用される携帯式ガスバーナーは、交換可能なカートリッジ式の燃料タンク内に充填されたプロパン又はブタン等の液化ガスを燃料として使用することが多い。
【０００３】
これらの液化ガスは、燃焼の際の気化に伴い気化熱を奪うため、燃焼するに連れ次第に燃料タンク内の温度が低下して、燃料タンク内の圧力が低下することにより気化効率が低減して液化ガスが充分に気化されず、火炎力が低下するおそれがある。特に、実際に携帯式ガスバーナーを使用する環境下である登山等においては、使用地が寒冷地である場合が多いため、圧力の低下による火炎力の低下が一層強まる傾向がある。また、平地等における常温時においてもガスの残存量が低下した場合には、同様の状態が生じることが多かった。
【０００４】
このため、これらの野外で使用される携帯式ガスバーナーにおいては、バーナーの燃焼熱や調理鍋（クッカー）に伝導された熱を利用して燃料タンクに伝熱することにより、燃料タンク内の圧力を一定値以上に保ち、燃料である液化ガスの気化効率を高めることが行われている。具体的には、バーナーの燃焼熱等を蓄熱する蓄熱部材と、燃料タンクに取り付けられ蓄熱部材の熱により燃料タンクをを加熱する加温部材と、蓄熱部材の熱を加温部材に伝導する伝熱部材とから成る気化促進装置を使用し、この蓄熱部材に蓄熱された熱をパイプ等の伝熱部材を介して、燃料タンクに取り付けられる加温部材に伝熱することにより、燃料タンク内の燃料を温めていた（例えば、特許文献１及び非被特許文献１〜３参照）。
【０００５】
この場合、特に、調理等に使用され、クッカー（調理鍋）が載置されるコンロ型の携帯式ガスバーナーにあっては、交換可能なカートリッジ式の燃料タンクが使用されるため、これらの気化促進装置を燃料タンクに、フェライト系の磁石により着脱自在に取り付けることが多い（例えば、非特許文献１〜３参照）。
【０００６】
一方で、このように、気化促進装置を携帯式ガスバーナーに着脱自在に取り付けると、１つの気化促進装置を、異なる携帯式ガスバーナーに取り付けることはできるが、気化促進装置が使用される携帯式ガスバーナーは、必ずしも１種類とは限らず、むしろ、使用状況等に応じて複数の種類が存在することが多い。
【０００７】
このため、一定規格のみを有する着脱式の気化促進装置を、複数種類の携帯式ガスバーナーに取り付けても、必ずしも適切に液化ガスの気化を促進することができない問題があった。即ち、液化ガスの気化を促進するためには、液化ガスの燃料タンクを適切な温度で加温することが必要となるが、この燃料タンクへの加熱温度は、蓄熱部材の携帯式ガスバーナーの着火部や火炎との距離や、蓄熱部材と加温部材との間の距離、また、蓄熱部材の向き等によって影響を受ける。従って、一定規格のみの有する気化促進装置を、点火部の高さや位置が異なる複数種類の携帯式ガスバーナーにそのまま使用すると、各種の携帯式ガスバーナー毎に加熱温度が異なり携帯式ガスバーナー間で一定の加熱温度を確保することができず、ひいては、液化ガスの気化を適切に促進することができない問題があった。
【０００８】
かかる問題に対応するためには、各種携帯式ガスバーナー毎に異なる規格の気化促進装置を設定することも考えられるが、ユーザーに必要以上のコスト負担を強いると共に、特に、なるべく軽量化することが望まれる登山等において、複数種類の気化促進装置を運搬させるるのは、あまりに適切ではない。また、このことから、気化促進装置自体、特に、従来はアルミニウムを鋳造して形成されていた加温部材の更なる軽量化も望まれていたところである。
【特許文献１】特開２００３−１６６７０３号公報
【非特許文献１】アウトドアジャパン株式会社のホームページ、”OUTDOOR GOODS（Outdoorスポーツ用品カタログ）>ALPINE&FEELD（山とフィールド）>トレッキング>コンロ>プリムス”、[online]、最終更新日平成１５年１月１６日、［平成１５年１２月１７日検索］、インターネット＜ＵＲＬ：http://www.outdoor-japan.co.jp/3goods/8a-f/27/27-10/27-10-5.html＞
【非特許文献２】アウトドアジャパン株式会社のホームページ、”OUTDOOR GOODS（Outdoorスポーツ用品カタログ）>ALPINE&FEELD（山とフィールド）>トレッキング>コンロ>ＥＰＩ”、[online]、最終更新日平成１５年１月１６日、［平成１５年１２月１７日検索］、インターネット＜ＵＲＬ：http://www.outdoor-japan.co.jp/3goods/8af/27/27-10/27-10-6.html＞
【非特許文献３】株式会社ユニバーサルトレーディング（特許出願人）のホームページ、”商品紹介>アクセサリー”、[online]、最終更新日平成１５年１０月７日、［平成１５年１２月１５日検索］、インターネット＜ＵＲＬ：http://www.epigas.com/product/index.htm＞
【発明の開示】
【発明が解決しようとする課題】
【０００９】
本発明が解決しようとする課題は、上記の問題点に鑑み、１つの気化促進装置で携帯式ガスバーナーの種類に応じて適切にかつ簡易に気化効率を向上させることができると同時に、軽量で運搬も容易な携帯式ガスバーナーの燃料気化装置を提供することにある。
【課題を解決するための手段】
【００１０】
本発明は、上記の課題を解決するための第１の手段として、燃料タンクを備えた携帯式ガスバーナーの燃焼熱及び加熱対象物に伝導された伝導熱を蓄熱する蓄熱部材と、燃料ポンプに着脱自在に取り付けられて蓄熱部材に蓄積された熱により燃料ポンプ内の燃料を加熱して燃料の気化を促進する加温部材と、蓄熱部材に蓄積された熱を加温部材に伝導する伝熱部材とを備えた携帯式ガスバーナーの燃料気化促進装置において、蓄熱部材は、伝熱部材に進退自在に取り付けられて位置調整できることを特徴とする携帯式ガスバーナーの気化促進装置を提供するものである。
【００１１】
本発明は、上記の課題を解決するための第２の手段として、上記第１の解決手段において、伝熱部材が挿入される開口部を有する円筒形状を有すると共に円筒から携帯式ガスバーナーの着火部に向けて延びるように形成されて携帯式ガスバーナーの燃焼熱及び被加熱対象に伝導された伝導熱を受熱する蓄熱部を有するヘッドから成ると共に、伝熱部材はヘッドが取り付けられるロッドから成り、ヘッドは、円筒の側面に開口部の拡径を許容する切り欠き部と、切り欠き部による拡径を制限するリングとを有し、開口部の内径に抗してロッドにより開口部が拡径されながらロッドの先端に嵌着されてロッドに進退自在に取り付けられると共にリングによる締め付けにより所定の取付位置に固定されることを特徴とする携帯式ガスバーナーの燃料気化促進装置を提供するものである。
【００１２】
本発明は、上記の課題を解決するための第３の手段として、上記第１又は第２のいずれかの解決手段において、蓄熱部材であるヘッドの切り欠き部は、ロッドへの非取付時においては、リングにより開口部がロッドの外径よりも小径となるように縮径方向に付勢されて、開口部に近づくに従い間隔が狭くなるように設定されていることを特徴とする携帯式ガスバーナーの燃料気化促進装置を提供するものである。
【００１３】
本発明は、上記の課題を解決するための第４の手段として、上記第１乃至第３のいずれかの解決手段において、蓄熱部材であるヘッドのリングは、内径がヘッドの円筒の外径よりも小径に設定されて、ヘッドの円筒の外面に形成された溝に嵌着されると共に、一部が開口して拡径が許容されていることを特徴とする携帯式ガスバーナーの燃料気化促進装置を提供するものである。
【００１４】
本発明は、上記の課題を解決するための第５の手段として、上記第１乃至第４のいずれかの解決手段において、伝熱部材であるロッドは、燃料気化促進装置が取り付けられる携帯式ガスバーナー毎に設定された蓄熱部材であるヘッドの適切な取付位置を案内する位置ガイドを有することを特徴とする携帯式ガスバーナーの燃料気化促進装置を提供するものである。
【００１５】
本発明は、上記の課題を解決するための第６の手段として、上記第５の解決手段において、伝熱部材であるロッドの位置ガイドは、ロッドの外周に形成され、ヘッドの開口部を符合させる目安となる目安線であることを特徴とする携帯式ガスバーナーの燃料気化促進装置を提供するものである。
【００１６】
本発明は、上記の課題を解決するための第７の手段として、上記第６の解決手段において、目安線はヘッドの開口部が係止するくびれから形成されていることを特徴とする携帯式ガスバーナーの燃料気化促進装置を提供するものである。
【００１７】
本発明は、上記の課題を解決するための第８の手段として、上記第１乃至第７のいずれかの解決手段において、伝熱部材であるロッドは、ヘッドが取り付けられる先端に、テーパが形成されていることを特徴とする携帯式ガスバーナーの燃料気化促進装置を提供するものである。
【００１８】
本発明は、上記の課題を解決するための第９の手段として、上記第１乃至第８のいずれかの解決手段において、伝熱部材であるロッドは、中空に形成され、内部にヒートパイプが挿入されていることを特徴とする携帯式ガスバーナーの燃料気化促進装置を提供するものである。
【００１９】
本発明は、上記の課題を解決するための第１０の手段として、上記第１乃至第９のいずれかの解決手段において、伝熱部材であるロッドは、燃料タンクの外形に符合した形状に形成され、燃料タンクの外形に沿って配設されることを特徴とする携帯式ガスバーナーの燃料気化促進装置を提供するものである。
【００２０】
本発明は、上記の課題を解決するための第１１の手段として、上記第１乃至第１０のいずれかの解決手段において、加温部材は、アルミニウムを押し出し加工して形成されていることを特徴とする携帯式ガスバーナーの燃料気化促進装置を提供するものである。
【００２１】
本発明は、上記の課題を解決するための第１２の手段として、上記第１乃至第１１のいずれかの解決手段において、加温部材は、伝熱部材の取付部を除き、２ｍｍ以下の厚みに形成されていることを特徴とする携帯式ガスバーナーの燃料気化促進装置を提供するものである。
【００２２】
本発明は、上記の課題を解決するための第１３の手段として、上記第１乃至第１２のいずれかの解決手段において、加温部材は、ネオジウム系磁石により燃料タンクに着脱自在に取り付けられることを特徴とする携帯式ガスバーナーの燃料気化促進装置を提供するものである。
【発明の効果】
【００２３】
本発明によれば、上記のように、蓄熱部材であるヘッドの位置を調整することができるため、１つの気化促進装置で異なる種類の携帯式ガスバーナーに対応して、燃料の気化を適切に促進することができる実益がある。
【００２４】
本発明によれば、上記のように、蓄熱部材であるヘッドに、携帯式ガスバーナーの着火部に向けて配置され携帯式ガスバーナーの火炎に曝される蓄熱部を設けているため、携帯式ガスバーナーの燃焼熱を効率よく蓄熱して、気化促進効率を高めることができる実益がある。
【００２５】
また、本発明によれば、上記のように、伝熱部材であるロッドに、蓄熱部材であるヘッドの適切な取付位置を案内する位置ガイドを設置しているため、携帯式ガスバーナー毎に蓄熱部材であるヘッドを非常に簡易に適切な位置に設定することができる実益がある。
【００２６】
特に、この場合、本発明によれば、この位置ガイドとして、ヘッドの開口部の先端が係止するくびれから形成された目安線としているため、ヘッドのリングによる拡径の制限と相俟ってヘッドの抜けを確実に防止することができる実益がある。
【００２７】
更に、本発明によれば、上記のように、伝熱部材であるロッドを、燃料タンクの外形に符合した形状に形成し、燃料タンクの外形に沿って配設しているため、異種の携帯式ガスバーナー間でも、比較的同一の形状に設定されている燃料タンクに沿って、蓄熱部材と加温部材との間の伝熱距離をほぼ一定に保持することができるため、携帯式ガスバーナーの種類を問わず、ほぼ均一の加温効率を得ることができると同時に、外観上のデザインを不必要に損なうことがない実益がある。
【００２８】
加えて、本発明によれば、上記のように、加温部材も、アルミニウムを押し出して薄く広く加工して形成しているため、軽量でありながら、熱を充分に拡散して液化ガスの気化効率を充分に高めることができると共に、特に、磁力が強いネオジウム系の磁石を使用しているため、少量の磁石とすることにより加温部材を軽量化しつつ燃料タンクに確実に取り付けることができる実益がある。
【発明を実施するための最良の形態】
【００２９】
本発明の実施の形態を図面を参照しながら詳細に説明すると、図１乃至図４は本発明の燃料気化促進装置１０を示し、この燃料気化促進装置１０は、図示しない携帯型ガスバーナー１に使用される。
【００３０】
この気化促進装置１０は、図１乃至図４に示すように、図示しない燃料タンクを備た携帯式ガスバーナーの燃焼熱を蓄熱する蓄熱部材１２と、燃料ポンプに着脱自在に取り付けられて蓄熱部材１２に蓄積された熱により燃料ポンプ内の燃料を加熱して燃料の気化を促進する加温部材１４と、蓄熱部材１２に蓄積された熱を加温部材１４に伝導する伝熱部材１６とを備えている。
【００３１】
蓄熱部材１２は、具体的には、図１乃至図４に示すように、ヘッド１８から成り、このヘッド１８は、特に図２に示すように、伝熱部材１６が挿入される開口部１８ｂを有する円筒形状を有すると共に円筒から携帯式ガスバーナーの着火部に向けて延びるように形成されて携帯式ガスバーナーの燃焼熱及び携帯式ガスバーナーに載置される調理鍋等の被加熱対象に伝導された伝導熱を受熱する蓄熱部１８ａを有している。一方、伝熱部材１６は、図１乃至図４に示すように、ロッド２０から成っている。
【００３２】
従って、蓄熱部材１２であるヘッド１８は、図１乃至図４に示すように、この伝熱部材１６であるロッド２０の先端に嵌着されることにより、伝熱部材１６であるロッド２０の先端に取り付けられて、蓄積した熱を伝熱部材１６であるロッド２０に伝導する。
【００３３】
この場合、蓄熱部材１２であるヘッド１８は、特に図１乃至図３に示すように、伝熱部材１６であるロッド２０に進退自在に取り付けられて位置調整することができる。具体的には、次の手段により達成される。即ち、蓄熱部材１２であるヘッド１８は、特に図２及び図３に示すように、円筒の側面に開口部１８ｂの拡径を許容する切り欠き部２２と、この切り欠き部２２による拡径を制限するリング２４とを有している。
【００３４】
このため、ヘッド１８は、開口部１８ｂの内径に抗してロッド２０により開口部１８ｂが拡径されながら、ロッド２０の先端に嵌着されてロッド２０に進退自在に取り付けられる。同時に、ヘッド１８は、リング２４による締め付けにより所定の取付位置に固定される。従って、ヘッド１８の位置を、携帯式ガスバーナーの着火部や火炎との相対位置等を考慮して各種の携帯式ガスバーナー毎に応じた適切な位置に調整することにより、１つの気化促進装置１０で異なる種類の携帯式ガスバーナーに対応して燃料の気化を適切に促進することができ、また、容易に位置ズレしたりロッド２０から抜けることなく、後述するように各種の携帯式ガスバーナー毎に設定された適切な位置に確実に固定することができる。
【００３５】
この場合、蓄熱部材１２であるヘッド１８の切り欠き部２２は、ロッド２０への非取付時においては、リング２４により開口部１８ｂがロッド２０の外径よりも小径となるように縮径方向に付勢されて、開口部１８に近づくに従い間隔が狭くなるように設定されている。従って、ヘッド１８は、ロッド２０への装填時には、このロッド２０が開口部１８ｂから進入することにより、この切り欠き部２２の間隔がロッド２０により広げられて開口部１８ｂが拡径されて、締まり嵌め状態で、ロッド２０に取り付けられる。なお、この際、ロッド２０の頂上、即ち、ヘッド１８が取り付けられる先端に、テーパを形成しておくと、ヘッド１８の開口部１８ｂを最初にロッド２０の先端に当接させて装填する際に、挿入作業を円滑に行うことができ、望ましい。
【００３６】
また、蓄熱部材１２であるヘッド１８のリング２４は、内径がヘッド１８の円筒の外径よりも小径に設定されていると共に、完全な輪状ではなく、図１に示すように、一部が開口して拡径可能に設定されている。また、このリング２４は、ヘッド１８の円筒の外面に形成された溝１８ｃに嵌着されている。これにより、リング２４は、開口の拡径を所定範囲内に制限して、ヘッド１８の位置固定及び抜け防止を実現する。なお、このリング２４による開口部１８ｂの拡径の制限は、リング２４の材質、太さ等により適宜調整することができるが、少なくとも、加熱下等の通常の使用状態においてヘッド１８がロッド２０から抜けることがない程度の締め付け圧力を保持するように調整する。
【００３７】
なお、この場合、ヘッド１８の蓄熱部１８ａは、図１及び図４から解るように、伝熱部材１６であるロッド２０から、被加熱対象である調理鍋等の底面に沿って、着火部に向けて延びるように形成されているため、効率よくかつ充分に受熱容量を確保することができるため、携帯式ガスバーナーの燃焼熱及び被加熱対象の伝導熱を効率よく蓄熱して、気化促進効率を高めることができる。また、このヘッド１８は、真鍮を鍛造することにより形成することができる。また、このヘッド１８は、ロッド２０を中心に回転させることもでき、これにより、携帯式ガスバーナーの着火部や被加熱対象である調理鍋等との距離を調整することができるよう、蓄熱部の向きを変更することもできる。
【００３８】
伝熱部材であるロッド２２としては、例えば、中空のロッドを使用することができる。このようなロッド２０としては、具体的には、熱伝導性の良好な銅から形成された外径が６ｍｍ、内径が４ｍｍの中空ロッドを使用することができる。これにより、充分な熱伝導性を維持しつつ軽量化を促進することができると同時に、内部の中空部にヒートパイプを装填することができ、このヒートパイプにより、温度上昇速度の促進及び保温性の向上を達成することができる。なお、充分な熱伝導性を確保することができれば、このロッド２０は、必ずしも中空とする必要はなく、中実のロッド２０とすることもできる。
【００３９】
また、このロッド２０は、図１乃至図３に示すように、燃料気化促進装置１０が取り付けられる図示しない携帯式ガスバーナー毎に設定された蓄熱部材１２であるヘッド１８の適切な取付位置を案内する位置ガイド２６を有している。
【００４０】
この位置ガイド２６は、図示の実施の形態では、具体的には、図１乃至図３に示すように、ロッド２２の外周に形成されヘッド１８の開口部１８ｂを符合させる目安となる目安線２６Ａであるのが示されている。この目安線２６Ａは、予め測定等により各種の携帯式ガスバーナー毎にヘッド１８の適切な取付位置を設定し、この所定の取付位置における開口部１８ｂの設置箇所に付合して複数形成することができる。これにより、ヘッド１８の位置調整の際に、図１乃至図３に示すように、開口部１８ｂが、複数の目安線２６Ａのうち、使用する携帯式ガスバーナーの機種毎に応じた設定された該当する目安線２６Ａに付合するようにヘッド１８上下動させるだけで、ヘッド１８を簡易に適切な位置に調整することができる。
【００４１】
この目安線２６Ａは、ヘッド１８の開口部１８ｂが係止するくびれから形成することができる。即ち、開口部１８ｂは、リング２４により縮径する方向に付勢されているため、このくびれから成る目安線２６Ａに付合した箇所で、くびれに入り込むように若干縮径することができ、これによりヘッド１８を、より一層確実に所定の取付位置に固定して配置することができる。なお、ヘッド１８の円筒形状の長さは、図１乃至図３に示すように、開口が最下端の目安線２６Ａまで到達する程度の長さに設定することが必要である。
【００４２】
更に、この伝熱部材１６であるロッド２０は、図１乃至図３に示すように、燃料タンクの外形に符合した形状に形成され、燃料タンクの外形に沿って配設することが望ましい。これにより、異種の携帯式ガスバーナー間でも、比較的同一の形状に設定されている燃料タンクに沿って、蓄熱部材１２と加温部材１４との間の伝熱距離をほぼ一定に保持することができるため、携帯式ガスバーナーの種類を問わず、ほぼ均一の加温効率を得ることができると同時に、外観上のデザインを不必要に損なうことがない。
【００４３】
加温部材１４は、図４に特に示すように、円筒形状を有する燃料ポンプの側面形状に付合して形成された円弧状の板状ボディ２８から成っている。従って、この加温部材１４である板状ボディ２８は、燃料ポンプに面接触して、蓄熱部材１２であるヘッド１８、伝熱部材１６であるロッド２０を介して伝導された熱を、燃料ポンプに伝導することにより、燃料ポンプ内の燃料を加熱して燃料の気化を促進する。
【００４４】
なお、この加温部材１４である板状ボディ２８は、図１乃至図４に示すように、伝熱部材１６であるロッド２０が挿入されるロッド取付部２８Ａを有し、取付部２８Ａにより、伝熱部材１６であるロッド２０及びこのロッド２０の先端に取り付けられた蓄熱部材１２であるヘッド１８を支持すると共に、ヘッド１８が蓄積した熱を受熱する。
【００４５】
この場合、本発明では、この加温部材１４である板状ボディ２８は、熱伝導性が良好なアルミニウムを押し出し加工することにより形成されている。このため、主にアルミニウムの削り出しや鋳造により形成されていた従来の板状ボディに比べ、加工性が向上し、軽量化を達成しながら、加温に適した形状に形成することができる。
【００４６】
具体的には、図示の実施の形態では、板状ボディ２８は、アルミニウムを押し出し加工することにより、伝熱部材１６のロッド２０の取付部２８Ａを除き、２ｍｍ以下の厚みに形成されている。このように、板状ボディ２８を、アルミニウムを押し出して薄く広く加工して形成しているため、充分に軽量化を図りつつ熱を充分に拡散して、液化ガスの気化効率を充分に高めることができる。なお、図示の実施の形態の気化促進装置１０の重量を測定したところ、従来品に比べて約半分の６８ｇであって、充分に軽量化を達成することができた。
【００４７】
また、この加温部材１４である板状ボディ２８には、特に図３に示すように、磁石３０が取り付けられている。この場合、この磁石３０として、図示の実施の形態では、磁力が強いネオジウム系磁石が使用されている。このため、図３に示すように、少量の磁石とすることにより加温部材１４を軽量化しつつ燃料タンクに確実に取り付けることができる。また、図３に示すように、この磁石３０を、板状ボディ２８の燃料タンクの取付面とは反対側の背面（円弧の外側の面）に設置しても、充分強力に燃料タンクに固定して取り付けることができるため、図２から解るように、板状ボディ２８の燃料タンクの取付面（円弧の内側の面）を無垢の状態に形成することができる。これにより、板状ボディ２８を燃料タンクの外周面に円滑にかつ確実に取り付けることができると同時に、板状ボディ２８と燃料タンクの外周面との間の面接触率が高まり、より一層液化ガスの気化を促進することができると共に燃料タンクの外壁を傷付けることがない。
【産業上の利用可能性】
【００４８】
本発明は、特に、一般には、調理鍋を載置するコンロ型の携帯式ガスバーナーに使用することができるが、その他、着火のための手持ち型のガスバーナーなどにも応用して適用することは可能である。
【図面の簡単な説明】
【００４９】
【図１】本発明の燃料気化促進装置の側面図である。
【図２】本発明の燃料気化促進装置の正面図である。
【図３】本発明の燃料気化促進装置の背面図である。
【図４】本発明の燃料気化促進装置の平面図である。
【符号の説明】
【００５０】
１０  燃料気化促進装置
１２  蓄熱部材
１４  加温部材
１６  伝熱部材
１８  ヘッド
１８ａ  ヘッドの蓄熱部
１８ｂ  ヘッドの開口部
１８ｃ  ヘッドのリング取り付け用の溝
２０  ロッド
２２  切り欠き部
２４  リング
２６  位置ガイド
２８  板状ボディ
２８Ａ  ロッドの取付部
３０  磁石
【図１】
2005180732.tif 000003
【図２】
2005180732.tif 000004
【図３】
2005180732.tif 000005
【図４】
2005180732.tif 000006